(57)【要約】      （修正有）【課題】多数の携帯端末が一斉に位置登録を行おうとする際の位置登録トラフィックの集中を回避する方法を提供する。【解決手段】移動基地局において、複数の携帯端末からの位置登録要求を受信すると、受信した複数の位置登録要求をまとめて位置情報管理サーバへ報告し；携帯端末において、固定基地局と移動基地局の両者の電波を受信可能な場合に、移動基地局に対し優先的に位置登録を行い、かつ、移動基地局の電波を受信できなくなった場合にも移動先の固定基地局に対しては位置登録を行わず；位置情報管理サーバにおいて、携帯端末から移動基地局への位置登録要求があった場合に該移動基地局と移動先の固定基地局とについての位置登録を重複的に行い、携帯端末が移動先の固定基地局に対して通信を行った場合に携帯端末の移動基地局についての位置登録を解消して移動先の固定基地局のみについての位置登録の状態にする；ことを特徴とする方法。【選択図】        図３
2004304351.tif 000002
【特許請求の範囲】
【請求項１】
移動通信システム内で動作する固定基地局及び移動基地局との通信が可能な携帯端末であって：
移動予定先の固定基地局の圏内に到着する前に、予め前記移動予定先の固定基地局に関する情報を取得して記憶する手段；及び
前記移動予定先へ移動するための移動手段内に設置された移動基地局に対して固定基地局よりも優先的に位置登録を行い、かつ前記移動予定先の固定基地局の圏内に到着する前に予め前記移動予定先の固定基地局に対する位置登録を行う位置登録要求手段；
から構成され、
位置登録を行った前記移動基地局からの電波を受信できなくなった場合にも、移動先の固定基地局に対して再度位置登録を行う必要がない；
ことを特徴とする携帯端末。
【請求項２】
請求項１に記載の携帯端末であって：
移動基地局からの電波を受信でき、かつ移動元の固定基地局以外の固定基地局からの電波を受信した場合に、前記移動元から移動したと判断して移動基地局に対する位置登録を行う；
ことを特徴とする携帯端末。
【請求項３】
携帯端末、固定基地局及び位置情報管理サーバを含む移動通信システム内で動作する、移動手段内に設置された移動基地局であって：
固定基地局の基地局ＩＤと識別可能な移動基地局ＩＤを送信する手段；
複数の携帯端末からの位置登録要求を受信し記憶する手段；及び
記憶した複数の位置登録要求をまとめて位置情報管理サーバへ報告する手段；
から構成される移動基地局。
【請求項４】
携帯端末、固定基地局及び移動基地局を含む移動通信システム内で動作する位置情報管理サーバであって：
携帯端末の移動基地局についての位置登録要求を受信した場合に、該移動基地局と移動先の固定基地局とについての位置登録を重複的に行う手段；及び
前記移動基地局と前記の移動先の固定基地局について重複的に位置登録されている前記携帯端末が移動先の固定基地局に対して通信を行った場合に、前記携帯端末の前記移動基地局についての位置登録を解消して、前記固定基地局のみについての位置登録の状態にする手段；
から構成される位置情報管理サーバ。
【請求項５】
移動手段内部に設置された移動基地局、複数の固定基地局、基地局を介して移動通信網と通信を行う携帯端末及び位置情報管理サーバにより構成される移動通信システムにおける位置登録集中回避方法であって：
移動基地局において、移動通信網と相互に通信を行う工程、固定基地局の基地局ＩＤと識別可能な移動基地局ＩＤを送信する工程、複数の携帯端末からの位置登録要求を受信する工程、及び、受信した複数の位置登録要求をまとめて位置情報管理サーバへ報告する工程が実行され；
携帯端末において、移動元と移動先の基地局ＩＤを取得する工程、固定基地局と移動基地局の両者の電波を受信可能な場合に、移動基地局に対し優先的に位置登録を行う工程、及び、移動基地局の電波を受信できなくなった場合にも移動先の固定基地局に対しては位置登録を行わない工程が実行され；
位置情報管理サーバにおいて、携帯端末から移動基地局への位置登録要求があった場合に該移動基地局と移動先の固定基地局とについての位置登録を重複的に行う工程、重複的に位置登録がされている前記移動基地局と前記の移動先の固定基地局のうち携帯端末が移動先の固定基地局に対して通信を行った場合に前記携帯端末の前記移動基地局についての位置登録を解消して前記移動先の固定基地局のみについての位置登録の状態にする工程が実行される；
ことを特徴とする方法。
【請求項６】
請求項５に記載の位置登録集中回避方法であって：さらに
移動基地局と移動先の固定基地局とに重複的に位置登録が行われている状況下の携帯端末へ着信要求があった場合に、位置登録されている移動基地局および移動先の固定基地局の両基地局に対して着信動作を行い、携帯端末から応答があった基地局との間で回線を接続する工程が実行される；
ことを特徴とする方法。
【発明の詳細な説明】
【０００１】
【発明の属する技術分野】
本発明は、一般に移動通信システムにおける携帯端末の位置登録を制御する方法ならびに位置登録処理を実行する携帯端末、移動基地局および位置情報管理サーバに関し、特に位置登録処理によるトラフィックの集中を回避する方法ならびにそのための携帯端末、移動基地局および位置情報管理サーバに関する。
【従来の技術】
移動通信システムは、携帯端末がサービスエリア内のどの地域に移動しても発信・着信接続を可能としたシステムである。そのため、移動通信システムにおける通信サービス提供地域は、無線基地局が構成するセルと呼ばれるエリアを複数連結したものである。移動通信システムにおいて、所望の携帯端末と通信を行うために、その携帯端末がどのセル、つまりどの無線基地局の配下に存在しているかという位置情報を常に把握しておく必要がある。携帯端末は電源を投入した際や、在圏セル又は位置登録エリアが変わった際（セル境界又は位置登録エリア境界を越えた際）に、移動通信システムに対して位置登録を行う。位置登録をして初めて携帯端末への着信が可能となる。ところが、多数の携帯端末による位置登録動作が頻繁に発生すると、制御チャネルの伝送能率が急速に低下するという問題がある。
【０００２】
複数の移動局が同時に電源投入した場合の、信号衝突を防止しながら迅速な制御動作を可能とする技術がある（例えば、特許文献１参照）。また、サービスエリアを複数の分割位置登録エリア群に分割し、重複する位置登録エリアに在圏する各無線基地局に対して複数の位置登録コードを割り当てることにより、位置登録回数を減少させる技術がある（例えば、特許文献２参照）。
【０００３】
【特許文献１】
特開平１１−１９６４７２号公報
【０００４】
【特許文献２】
特開平３−８０７９０号公報
【０００５】
【発明が解決しようとする課題】
しかしながら、携帯端末を携帯する多数のユーザが、例えば電車などの大量輸送手段に乗って移動する場合には、電車がセル境界を越える際に、電車内の携帯端末全てがほぼ同時に在圏セルが変わったことを認識し位置登録を行おうとして、位置登録トラフィックが集中する。或いは電車が駅に到着した場合にも同様に位置登録トラフィックが集中するという状況が発生する。位置登録トラフィックが集中すると、無線リソースが浪費され、無線リソースの能率的な活用が阻止されることとなり問題であった。
【０００６】
そこで、本発明は、多数の携帯端末が一斉に位置登録を行おうとする際の位置登録トラフィックの集中を回避する方法ならびにそのための携帯端末、移動基地局および位置情報管理サーバを提供することを目的とする。
【０００７】
【課題を解決するための手段】
上記の目的を達成するための本発明の一特徴に従った、移動通信システム内で動作する固定基地局及び移動基地局との通信が可能な携帯端末は、  移動予定先の固定基地局の圏内に到着する前に、予め移動予定先の固定基地局に関する情報を取得して記憶する手段；及び  移動予定先へ移動するための移動手段内に設置された移動基地局に対して固定基地局よりも優先的に位置登録を行い、かつ移動予定先の固定基地局の圏内に到着する前に予め移動予定先の固定基地局に対する位置登録を行う位置登録要求手段；  から構成され、  位置登録を行った移動基地局からの電波を受信できなくなった場合にも、移動先の固定基地局に対して再度位置登録を行う必要がない；  ことを特徴とする。さらに、移動基地局からの電波を受信でき、かつ移動元の固定基地局以外の固定基地局からの電波を受信した場合に、移動元から移動したと判断して移動基地局に対する位置登録を行う；
ことも可能である。
【０００８】
本発明の他の特徴に従った、携帯端末、固定基地局及び位置情報管理サーバを含む移動通信システム内で動作する、移動手段内に設置された移動基地局は、  固定基地局の基地局ＩＤと識別可能な移動基地局ＩＤを送信する手段；  複数の携帯端末からの位置登録要求を受信し記憶する手段；及び  記憶した複数の位置登録要求をまとめて位置情報管理サーバへ報告する手段；  から構成される。
【０００９】
本発明の他の特徴に従った、携帯端末、固定基地局及び移動基地局を含む移動通信システム内で動作する位置情報管理サーバでは、  携帯端末の移動基地局についての位置登録要求を受信した場合に、該移動基地局と移動先の固定基地局とについての位置登録を重複的に行う手段；及び  移動基地局と移動先の固定基地局とについて重複的に位置登録されている携帯端末が移動先の固定基地局に対して通信を行った場合に、携帯端末の移動基地局についての位置登録を解消して、固定基地局のみについての位置登録の状態にする手段；  から構成される。
【００１０】
本発明の他の特徴に従った、移動手段内部に設置された移動基地局、複数の固定基地局、基地局を介して移動通信網と通信を行う携帯端末及び位置情報管理サーバにより構成される移動通信システムにおける位置登録集中回避方法は、  移動基地局において、移動通信網と相互に通信を行う工程、固定基地局の基地局ＩＤと識別可能な移動基地局ＩＤを送信する工程、複数の携帯端末からの位置登録要求を受信する工程、及び、受信した複数の位置登録要求をまとめて位置情報管理サーバへ報告する工程が実行され；  携帯端末において、移動元と移動先の基地局ＩＤを取得する工程、固定基地局と移動基地局の両者の電波を受信可能な場合に、移動基地局に対し優先的に位置登録を行う工程、及び、移動基地局の電波を受信できなくなった場合にも移動先の固定基地局に対しては位置登録を行わない工程が実行され；  位置情報管理サーバにおいて、携帯端末から移動基地局への位置登録要求があった場合に該移動基地局と移動先の固定基地局とについての位置登録を重複的に行う工程、重複的に位置登録がされている移動基地局と移動先の固定基地局のうち携帯端末が移動先の固定基地局に対して通信を行った場合に携帯端末の移動基地局についての位置登録を解消して移動先の固定基地局のみについての位置登録の状態にする工程が実行されることを特徴とする。さらに、  移動基地局と移動先の固定基地局とに重複的に位置登録が行われている状況下の携帯端末へ着信要求があった場合に、位置登録されている移動基地局および移動先の固定基地局の両基地局に対して着信動作を行い、携帯端末から応答があった基地局との間で回線を接続する工程が実行されるように構成することも可能である。
【００１１】
【発明の実施の形態】
以下、図面を参照しながら本発明の実施の形態について詳しく説明する。
【００１２】
図１に本発明に係る実施形態に従った移動通信システムのネットワーク構成例を示す。移動通信システム１０は、位置情報管理サーバ４０を含む移動通信網１００と、複数の固定基地局２０ａ−２０ｄと、固定基地局にカバーされる複数のセル３０ａ−３０ｄと、例えば電車等の大量輸送手段７０に乗っている複数のユーザが携帯する各携帯端末（図示せず）とから構成されている。位置情報管理サーバ４０は一般に、携帯端末がどのセル圏内に存在しているかを記憶しておくデータベース機能、携帯端末が移動した場合に、存在場所が変わったことをデータベースに通知する機能等を備えている。基地局２０は、カバーするセル内に存在する携帯端末と通信を行って、その携帯端末を移動通信網へと接続する機能を有する。
【００１３】
電車７０が、セル３０ａのエリアからセル３０ｂのエリアへと移動する際に、従来技術によれば、多数の携帯端末が一斉に位置登録を行おうとするので、位置登録トラヒックが集中するという上述の問題が発生する。以下に、本発明の実施形態に従った位置登録動作の処理を時系列的に説明する。
【００１４】
＜基本動作＞
携帯端末を携帯するユーザが電車７０に乗るために乗車駅５０に向かう際に、乗車駅５０に到着するまでは携帯端末は通常どおりの位置登録動作を行っている。すなわち、携帯端末がセル境界を横切るたびに、位置登録を行う。ユーザが乗車駅５０に到着し（図２のＳ１０）、乗車切符を購入する。或いは、あらかじめ定期券又は回数券などを所持していても良い。ここでは、乗車切符を購入する場合を例にとり説明を行う。乗車切符はどのような媒体であっても良いが、乗車駅と降車駅に関する情報を携帯端末に通知することが可能である。通知の方法は、例えば乗車切符の購入時に券売機が赤外線により携帯端末に通信を行い、乗車駅と降車駅に関する情報を携帯端末へと伝える。降車駅を１つに特定できない場合には、候補となる複数の降車駅に関する情報を携帯端末に伝える。乗車切符の購入を携帯端末の機能を用いて行ったり、あるいは切符自体が携帯端末内の機能として実現される場合なども挙げられる。いずれの手段にせよ携帯端末は乗車駅と降車駅を認識する。この時点において、携帯端末が降車駅付近の固定基地局の固定基地局ＩＤを取得する構成にしても良い。
【００１５】
各固定基地局２０は基地局ＩＤを常時送信しており、携帯端末は受信した基地局ＩＤに基づいてセル、すなわち基地局を識別している。従って、携帯端末は、基地局ＩＤを受信し、受信した基地局ＩＤを記憶し、記憶した基地局ＩＤに基づき在圏するセルの基地局を識別する機能を有する。電車７０内には移動基地局８０が設置されており、移動基地局が一つのセルを構成する。移動基地局８０も基地局ＩＤを常時送信しているが、移動基地局８０の移動基地局ＩＤは、通常の固定基地局の固定基地局ＩＤとは識別可能である。
【００１６】
乗車駅５０構内のホームでは、携帯端末はすでに乗車駅付近の固定基地局２０ａに位置登録が行われている状態である（Ｓ２０）。ホームに乗車すべき電車が進入すると、電車に備えられた移動基地局の移動基地局ＩＤを携帯端末が受信する（Ｓ４０）。簡単に言えば、移動基地局ＩＤを受信した携帯端末はその移動基地局に位置登録を行う。移動基地局は各携帯端末からの位置登録を個別に位置情報管理サーバ４０に登録するのではなく、多数の携帯端末のための位置登録を一括してまとめて登録を行う。こうすることによって、各携帯端末から個別的に位置登録が行われる場合に比べて、送信すべきデータ量が格段に少なくなり、無線リソースの節約となる。
【００１７】
また、各携帯端末は、移動基地局に対する位置登録だけでなく、記憶しておいた降車駅付近の固定基地局２０ｄについての位置登録も（降車駅に到着する前であるが）予めサーバ４０に対して行っておく（Ｓ８０）。従って、サーバ４０は、各携帯端末が複数の基地局について重複的に位置登録している状態を受け付け、記憶する構成となっている。移動先固定局への位置登録は、携帯端末が乗車している電車が予定された正しい方向に進んでいる否かを確認（Ｓ７０）した上で行っても良い。
【００１８】
移動基地局ＩＤを受信している間は、携帯端末は他の固定基地局ＩＤをいくつ受信したとしても位置登録を行わないように構成する。これは、移動基地局の優先度が高いことを意味する。例えば、電車７０がセル３０ａのエリアから３０ｂのエリアへと移動すると、電車７０に乗っている携帯端末は、セル３０ｂの固定基地局２０ｂからの基地局ＩＤを受信するが、固定基地局２０ｂに対して位置登録はしないということである。他の固定基地局に対しても同様である。このような構成にすることによって、電車７０に乗っている多数の携帯端末がセル境界で一斉に位置登録を行おうとする事態を回避できる。
【００１９】
電車７０が降車駅６０に近づくと、携帯端末は降車駅付近の固定基地局２０ｄからの固定基地局ＩＤを受信する。電車７０が降車駅６０に到着しユーザが降車した後、電車７０が遠ざかっていくにつれて、携帯端末は移動基地局ＩＤを受信できなくなる。このことにより、携帯端末は降車したと判断できる。しかし、降車駅付近の基地局２０ｄについての位置登録はすでに済んでいる。従って、降車した多数の携帯端末が一斉に位置登録を行おうとする事態を回避できる。到着時に降車駅付近の基地局に位置登録を行わないことを除いては、それ以降は通常どおりの位置登録動作に戻る。
【００２０】
＜位置登録の詳細＞
携帯端末を携帯するユーザが電車７０に乗り、携帯端末が移動基地局に位置登録を行うと、移動基地局は移動通信網１００の位置情報管理サーバ４０に対して、他の携帯端末からの位置登録要求とともにまとめて位置登録要求を転送する。このとき携帯端末が記憶している降車駅情報も同時に送信する。携帯端末の位置情報を管理している位置情報管理サーバ４０は通常、位置登録要求のあった基地局ＩＤと携帯端末との対応付けを行う。移動基地局から位置登録要求及び降車駅情報提供があった場合には、位置情報管理サーバ４０は降車駅情報から降車駅付近の固定基地局ＩＤを取得する。位置情報管理サーバ４０は、降車駅情報から降車駅付近の固定基地局ＩＤを取得するためのマッピング機能を有しても良い。固定基地局ＩＤの取得後、位置情報管理サーバ４０は、降車駅付近固定基地局ＩＤ及び移動基地局ＩＤと携帯端末との対応付けを行う。このとき位置情報管理サーバ４０においては、当該携帯端末を移動基地局と降車駅付近の固定基地局の双方に重複的に位置登録した状態として把握する。携帯端末には、固定基地局ＩＤの情報が通知される（Ｓ３０）。
【００２１】
＜発信時動作＞
ユーザが移動手段である電車７０内で発信する場合、携帯端末は移動基地局に位置登録されているので通常どおり移動基地局に対して発信動作可能である（Ｓ９０）。ユーザが降車後、降車駅付近の固定基地局に発信する場合についても、携帯端末は移動基地局と降車駅付近固定基地局に重複的に位置登録している状態であるため、通常どおり発信可能である。このときユーザからの発信が移動基地局ではなく降車駅付近の固定基地局に対して発信された場合には、ユーザが降車したと判断され、位置情報管理サーバ４０は位置登録情報から移動基地局ＩＤを削除し、重複的位置登録状況を解消する。
【００２２】
＜着信時動作＞
ユーザが電車７０内にいる場合に、移動基地局に位置登録をしているため、移動基地局を介して着信が行われる。ユーザが降車駅にいる場合に、携帯端末は移動基地局と降車駅付近の固定基地局に重複的位置登録状態であるため、やはり着信可能である。重複的位置登録状態の間は、移動基地局と降車駅付近の固定基地局の両方に対して着信動作を行うことになる。着信を行う順序は両基地局同時でも良いし、移動基地局、降車駅付近の固定基地局の順に行っても良い。同時着信動作に対して、携帯端末が降車駅付近の固定基地局に応答した場合には、ユーザはすでに降車していると判断され、位置情報管理サーバは位置登録情報から移動基地局ＩＤを削除し、重複的位置登録状況を解消する。
【００２３】
＜乗り継ぎがある場合＞
携帯端末は、乗り継ぎ駅に関する情報も予め取得可能である。降車駅と同様に、乗り継ぎ駅付近の固定基地局についても重複的位置登録を行うことで対応が可能である。つまり、移動基地局と乗り継ぎ駅付近の固定基地局と降車駅付近の固定基地局との重複的位置登録状況が発生し、その後乗り継ぎ駅付近の固定移動基地局との位置登録を削除し、最後に移動基地局との位置登録を削除する。乗り継ぎ中の着信動作において、乗り継ぎ駅付近の固定基地局にも着信動作を行うことが可能である。
＜乗車かつ発車の判断＞
携帯端末は乗車駅付近の固定基地局に位置登録をしている状態で乗車駅５０に到着することになる。その後、移動基地局ＩＤを受信でき、且つ乗車駅付近固定基地局２０ａからの基地局ＩＤが受信できなくなるか、或いは別の固定基地局（例えば基地局２０ｂ）からの基地局ＩＤを受信した場合（Ｓ５０）に、電車７０が乗車駅から発車したと判断することができる。この判断を待ってから、移動基地局への位置登録をする構成にしても良い（Ｓ６０）。
【００２４】
＜反対ホームの電車＞
ホームには上下線の電車が出入りするが、移動基地局ＩＤに上り／下りの識別も可能であるよう設定することができる。携帯端末は、乗車駅と降車駅の情報から上り／下りの判断を行うことが可能であるため、適切な方向の電車の移動基地局に対して位置登録が可能となる。予定変更等により反対方向の電車に乗る必要があった場合には、乗車駅付近固定基地局ＩＤが受信できなくなり、かつ別の固定基地局ＩＤを受信したときに、その時点で受信可能な移動基地局ＩＤへ位置登録を行う。ただし、この場合降車駅の情報が正しく入っていない可能性があるため、降車駅付近では正しい動作は期待できない。このような状況においても、電車で通過していく途中の固定基地局への位置登録を削減することが可能であり、従来の問題点を回避することができる。
【００２５】
＜途中駅での降車＞
途中駅で降車した場合、携帯端末は電車７０が遠ざかり移動基地局ＩＤの受信ができなくなった時点で通常どおり途中駅付近の固定基地局に位置登録を行う。多数の携帯端末が目的地において降車する確率に比べて、多数の携帯端末が途中下車する確率は非常に低いと考えられるため、位置登録の集中の原因となる可能性は低いと考えられる。
【００２６】
＜降車駅付近の固定基地局ＩＤ取得方法＞
降車駅付近の固定基地局ＩＤとしては、切符と連動した時点で携帯端末が取得する方法や、移動基地局に位置登録を行った時点で移動通信網から通知される方法など多くの方法が考えられる。或いは、固定基地局ＩＤが長期間一定であれば、その期間内携帯端末内に保存しておいても良い。
【００２７】
＜通過待ち＞
通過待ち時において、乗車しない先発電車がホームに進入したときに、携帯端末は先発電車の移動基地局ＩＤを受信し、不適切な移動基地局に位置登録を行ってしまう可能性がある。それを回避するため、タイマーを利用して移動基地局ＩＤを一定時間以上受信し続けた後にその移動基地局に位置登録を行うように構成することも可能である。
【００２８】
＜特急待ち＞
乗車すべき特急電車が到着するのを待つ間に乗車しない普通電車がホームで待機しているような場合、普通電車の移動基地局ＩＤを受信することになる。この場合には、上記のタイマーを利用しても移動基地局に位置登録を行うことになってしまう。これを回避するために以下の方法がある。
【００２９】
方法１：  特急電車が来た場合、ユーザが特急電車に乗ると普通電車内の移動基地局ＩＤはやがて受信できなくなるため、特急電車移動基地局に位置登録を行うことになる。そのためある時間内は移動基地局の重複的位置登録状態が発生することになるが、降車駅付近の固定基地局とは異なり、移動基地局の重複的位置登録は限られた時間のみ可能とする方法がある。
【００３０】
方法２：  乗車駅付近の固定基地局以外の固定基地局ＩＤを受信できなければ位置登録を行わないように構成すれば、回避できる。
【００３１】
＜複数の移動基地局ＩＤを受信している場合＞
携帯端末が複数の移動基地局ＩＤを受信できている状況は、ユーザがホームで待っている場合や、反対方向の電車とすれ違っている場合や、特急電車が普通電車を駅等で追い抜く場合などに起こりうる。このような状況への対処方法として以下が考えられる。
【００３２】
方法１：  複数の移動基地局ＩＤを受信しても一定時間以上経過してから重複した位置登録を行う。この方法は反対方向の電車とすれ違う場合などに有効である。
【００３３】
方法２：  複数の移動基地局ＩＤを受信できる場合には新たに位置登録を行わず、受信できる移動基地局が一つになった時点でその基地局に位置登録を行う。或いは、すでに位置登録されている移動基地局があれば何もしない。
【００３４】
＜学習機能＞
本発明が特に有効であると考えられるのは通勤時間帯である。通勤においては定期券を利用し毎日同じ時刻の電車に乗り、同じ乗車駅から同じ降車駅に向かう確率が非常に高いと思われる。また乗車人数も一日の内で最も多い時間帯であり位置登録の集中過密が起こる。そのため、携帯端末は同一の行動パターンを学習することで、移動基地局の重複位置登録をより効率的に回避することが可能となる。例えば、毎日特急電車に乗る習慣がある場合、普通電車が待ち合わせていたとしても、普通電車の移動基地局には位置登録を行わずに特急電車が来るまで移動基地局の登録を待つように構成することが可能である。
【００３５】
＜移動基地局数＞
移動基地局は各車両毎などに複数設置することもできる。複数設置した場合、全て同一の基地局ＩＤとしても良いし、それぞれ個別のＩＤとしても良いし、或いはいくつかグルーピングしてＩＤを設定しても良い。
【００３６】
図３に本発明の実施形態に従った、位置情報管理サーバ４０、移動手段７０、移動基地局８０及び携帯端末９０の構成例を示す。
【００３７】
位置情報管理サーバ４０は、固定基地局及び移動基地局と通信が可能であり、そのための通常の構成は図示及び記載を省略する。位置情報管理サーバ４０は、携帯端末がどのセル圏内に存在しているかを記憶しておくデータベース４２、携帯端末が移動した場合に、存在場所が変わったことをデータベースに通知する存在場所検出部４４、携帯端末から移動基地局への位置登録要求があった場合に、該移動基地局と移動先の固定基地局とについての位置登録を重複的に行う位置登録機能部４６等を備えている。位置登録機能部４６はまた、移動基地局８０と移動先固定基地局２０ｄについて重複的に位置登録されている携帯端末９０が移動先固定基地局２０ｄに対して通信を行った場合に、携帯端末９０の移動基地局８０についての位置登録を解消して、固定基地局２０ｄのみについての位置登録の状態にすることができる。
【００３８】
携帯端末９０は、移動手段に乗っている場合には、移動基地局８０を介して移動通信網と通信可能である。そのための通常の無線構成は図示及び記載を省略する。携帯端末９０は、例えば乗車駅と降車駅に関する情報を受信したときにそれらの情報を記憶するための位置情報記憶部９２と、位置登録の要求を行う位置登録要求部９４とを有する。位置登録要求部９４は、例えば移動基地局８０からの電波を受信し、かつ移動元の固定基地局以外の固定基地局からの電波を受信した場合に、移動元から移動したと判断して移動基地局８０に対する位置登録の要求を発する。同時に移動先固定基地局２０ｄへの位置登録要求を発することも可能である。
【００３９】
移動手段７０に設置された移動基地局８０は、通常の固定基地局の固定基地局ＩＤとは識別が可能な移動基地局ＩＤを常時送信している。通常の無線構成は図示及び記載を省略する。移動基地局８０は、各携帯端末から移動先位置情報を受信して記憶する位置登録情報記憶部８２と、各携帯端末の位置登録要求を一括してまとめて位置情報管理サーバ４０に登録するための位置登録転送部８４を有する。位置登録転送部８４は、各携帯端末の位置登録要求を位置情報管理サーバ４０へと転送する際に、各携帯端末の移動先固定基地局についての位置登録も予めサーバ４０に対して行うことができる。従って、サーバ４０は、各携帯端末が複数の基地局について重複的に位置登録している状態を受け付け、記憶する構成となっている。
【発明の効果】
以上説明したように、本発明の実施の形態によれば、移動通信網において電車の駅における位置登録集中や、電車などで通過途中のセル境界などにおける位置登録集中を回避することが可能となる。位置登録の集中を回避することで、無線リソースを有効に活用することができ、また移動通信網内のトラフィックを削減することが可能となる。その結果、駅など位置登録が集中する地点での呼損を削減しサービス性の向上を実現することができる。
【図面の簡単な説明】
【図１】本発明の実施形態に従った移動通信システムのネットワーク構成例を示す概念図である。
【図２】本発明の実施形態に従った位置登録集中回避方法の一例を示すフローチャートである。
【図３】本発明の実施形態に従った移動通信システム各構成要素の概略図である。
【符号の説明】
１０  移動通信システム
２０  固定基地局
３０  セル
４０  位置情報管理サーバ
５０  乗車駅
６０  降車駅
７０  電車
８０  移動基地局
９０  携帯端末
１００  移動通信網
【図１】
2004304351.tif 000003
【図２】
2004304351.tif 000004
【図３】
2004304351.tif 000005